(57)【要約】      （修正有）【課題】簡易な方法で電子棚札を既存の陳列棚に設置できる電子棚札取付具を提供する。【解決手段】電子棚札取付具１２は、電子棚札１５を支持する第１面と、第１面とは反対側の第２面と、を有する取付具本体２３と、第２面側で取付具本体２３と対向するように取付具本体２３から延びるとともに、第２面との間で表示具１４を挟むことが可能なクランプ部２４と、取付具本体２３およびクランプ部２４のいずれか一方に設けられ表示具１４に当接可能な一対の第１突起２５と、取付具本体２３およびクランプ部２４のいずれか他方に設けられ、一対の第１突起２５から外れた位置で表示具１４に当接可能な第２突起２６と、を備える。【選択図】図２
0003230775.tif 000002
【実用新案登録請求の範囲】
【請求項１】
電子棚札を支持する第１面と、前記第１面とは反対側の第２面と、を有する取付具本体と、
前記第２面側で前記取付具本体と対向するように前記取付具本体から延びるとともに、前記第２面との間で表示具を挟むことが可能なクランプ部と、
前記取付具本体および前記クランプ部のいずれか一方に設けられ前記表示具に当接可能な一対の第１突起と、
前記取付具本体および前記クランプ部のいずれか他方に設けられ、前記一対の第１突起から外れた位置で前記表示具に当接可能な第２突起と、
を備える電子棚札取付具。
【請求項２】
前記一対の第１突起の一方は、前記一対の第１突起の他方と一体的に形成され、
前記第２突起は、前記表示具の長手方向と交差する方向に関し、前記一対の第１突起のいずれか一方の近傍に位置し、前記一対の第１突起のいずれか他方とは反対側に位置ずれしている請求項１に記載の電子棚札取付具。
【請求項３】
前記一対の第１突起は、前記クランプ部に設けられ、
前記第２突起は、前記取付具本体に設けられ、
前記クランプ部は、前記クランプ部本体と、前記一対の第１突起と、前記一対の第１突起を間に挟んだ両側に設けられ前記クランプ部本体と前記一対の第１突起とを区画する一対のスリットと、を有し、
前記一対の第１突起は、前記クランプ部の厚み方向に関し前記クランプ部本体に対して撓むことが可能である請求項２に記載の電子棚札取付具。
【請求項４】
前記一対のスリット同士は、これらと交差する方向に延び、前記クランプ部本体と前記一対の第１突起とを区画する第２スリットによって接続された請求項３に記載の電子棚札取付具。
【請求項５】
前記一対の第１突起は、前記表示具の長手方向に延びる隆起部として設けられ、
前記第２突起は、前記長手方向に延びる隆起部として設けられるとともに、前記長手方向と交差する方向に関し、前記一対の第１突起同士の間の位置に設けられる請求項１に記載の電子棚札取付具。
【請求項６】
前記一対の第１突起は、前記表示具の長手方向と交差する方向に延びる隆起部として設けられ、
前記第２突起は、前記長手方向と交差する方向に延びる隆起部として設けられるとともに、前記長手方向に関し、前記一対の第１突起同士の間の位置に設けられる請求項１に記載の電子棚札取付具。
【請求項７】
前記クランプ部は、前記取付具本体と接続した接続部と、前記接続部とは反対側に設けられ指を掛けることが可能な指掛部と、を有する請求項１〜６のいずれか１項に記載の電子棚札取付具。
【考案の詳細な説明】
【技術分野】
【０００１】
本考案は、陳列棚に対して既設の表示具に対して電子棚札を取り付けるための電子棚札取付具に関する。
【背景技術】
【０００２】
表示板の表示角度を変更可能な表示板角度変更具が知られている（特許文献１参照）。表示板角度変更具は、低い位置の表示板に対して取り付けられ、表示板の設置角度を変更できる。
【先行技術文献】
【特許文献】
【０００３】
【特許文献１】実用新案登録第３１８２２４１号明細書
【考案の概要】
【考案が解決しようとする課題】
【０００４】
ところで、近年、物品の価格を液晶画面等によって電子的に表示する電子棚札が存在している。この電子棚札を既存の陳列棚に対して簡易な方法で設置したいという要請があった。
【０００５】
本考案の目的は、簡易な方法で電子棚札を既存の陳列棚に設置できる電子棚札取付具を提供することにある。
【課題を解決するための手段】
【０００６】
上記課題は、以下の本考案により解決される。すなわち、本考案（１）の電子棚札取付具は、
電子棚札を支持する第１面と、前記第１面とは反対側の第２面と、を有する取付具本体と、
前記第２面側で前記取付具本体と対向するように前記取付具本体から延びるとともに、前記第２面との間で表示具を挟むことが可能なクランプ部と、
前記取付具本体および前記クランプ部のいずれか一方に設けられ前記表示具に当接可能な一対の第１突起と、
前記取付具本体および前記クランプ部のいずれか他方に設けられ、前記一対の第１突起から外れた位置で前記表示具に当接可能な第２突起と、
を備える。
【０００７】
また、本考案（２）の電子棚札取付具は、（１）記載の電子棚札取付具であって、
前記一対の第１突起の一方は、前記一対の第１突起の他方と一体的に形成され、
前記第２突起は、前記表示具の長手方向と交差する方向に関し、前記一対の第１突起のいずれか一方の近傍に位置し、前記一対の第１突起のいずれか他方とは反対側に位置ずれしている。
【０００８】
また、本考案（３）の電子棚札取付具は、（２）に記載の電子棚札取付具であって、
前記一対の第１突起は、前記クランプ部に設けられ、
前記第２突起は、前記取付具本体に設けられ、
前記クランプ部は、前記クランプ部本体と、前記一対の第１突起と、前記一対の第１突起を間に挟んだ両側に設けられ前記クランプ部本体と前記一対の第１突起とを区画する一対のスリットと、を有し、
前記一対の第１突起は、前記クランプ部の厚み方向に関し前記クランプ部本体に対して撓むことが可能である。
【０００９】
また、本考案（４）の電子棚札取付具は、（３）に記載の電子棚札取付具であって、
前記一対のスリット同士は、これらと交差する方向に延び、前記クランプ部本体と前記一対の第１突起とを区画する第２スリットによって接続された。
【００１０】
また、本考案（５）の電子棚札取付具は、（１）に記載の電子棚札取付具であって、
前記一対の第１突起は、前記表示具の長手方向に延びる隆起部として設けられ、
前記第２突起は、前記長手方向に延びる隆起部として設けられるとともに、前記長手方向と交差する方向に関し、前記一対の第１突起同士の間の位置に設けられる。
【００１１】
また、本考案（６）の電子棚札取付具は、（１）に記載の電子棚札取付具であって、
前記一対の第１突起は、前記表示具の長手方向と交差する方向に延びる隆起部として設けられ、
前記第２突起は、前記長手方向と交差する方向に延びる隆起部として設けられるとともに、前記長手方向に関し、前記一対の第１突起同士の間の位置に設けられる。
【００１２】
また、本考案（７）の電子棚札取付具は、（１）〜（６）に記載の電子棚札取付具であって、
前記クランプ部は、前記取付具本体と接続した接続部と、前記接続部とは反対側に設けられ指を掛けることが可能な指掛部と、を有する。
【考案の効果】
【００１３】
本考案によれば、簡易な方法で電子棚札を既存の陳列棚に設置できる電子棚札取付具を提供できる。
【図面の簡単な説明】
【００１４】
【図１】第１実施形態の電子棚札取付具を含む陳列棚を示す斜視図である。
【図２】図１に示す陳列棚の表示具、電子棚札取付具、および電子棚札を示す側面図である。
【図３】図１に示す陳列棚の表示具、電子棚札取付具、および電子棚札を分解して示す斜視図である。
【図４】図３に示す電子棚札取付具を通路側とは反対側（後側）から示した斜視図である。
【図５】図３に示す電子棚札取付具の正面図である。
【図６】図３に示す電子棚札取付具の側面図である。
【図７】図５に示す電子棚札取付具のＦ７−Ｆ７線の位置に沿った断面図である。
【図８】図３に示す電子棚札取付具を他の形態の表示具に対して固定した状態を示す側面図である。
【図９】第２実施形態の電子棚札取付具を通路側（前側）から示す斜視図である。
【図１０】図９に示す電子棚札取付具を通路側とは反対側（後側）から示す斜視図である。
【図１１】図９に示す電子棚札取付具の正面図である。
【図１２】図９に示す電子棚札取付具の側面図である。
【図１３】図１１に示す電子棚札取付具のＦ１３−Ｆ１３線の位置に沿った断面図である。
【図１４】第３実施形態の電子棚札取付具を通路側とは反対側（後側）から示す斜視図である。
【図１５】図１４に示す電子棚札取付具の背面図である。
【図１６】図１４に示す電子棚札取付具の正面図である。
【図１７】図１４に示す電子棚札取付具の底面図である。
【図１８】図１４に示す電子棚札取付具の側面図である。
【図１９】図１６に示す電子棚札取付具のＦ１９−Ｆ１９線の位置に沿った断面図である。
【図２０】第４実施形態の電子棚札取付具を通路側とは反対側（後側）から示す斜視図である。
【図２１】図２０に示す電子棚札取付具の背面図である。
【図２２】図２０に示す電子棚札取付具の底面図である。
【図２３】図２１に示す電子棚札取付具のＦ２３−Ｆ２３線の位置に沿った断面図である。
【図２４】第５実施形態の電子棚札取付具を通路側とは反対側（後側）から示す斜視図である。
【図２５】図２４に示す電子棚札取付具の背面図である。
【図２６】図２４に示す電子棚札取付具の底面図である。
【図２７】図２４に示す電子棚札取付具の正面図である。
【図２８】図２４に示す電子棚札取付具の側面図である。
【図２９】図２７に示す電子棚札取付具のＦ２９−Ｆ２９線の位置に沿った断面図である。
【図３０】第５実施形態の電子棚札取付具を表示具に固定した状態を示す側面図である。
【図３１】図３０に示す電子棚札取付具のＦ３１−Ｆ３１線の位置に沿った断面図である。
【考案を実施するための形態】
【００１５】
以下図面を参照して、電子棚札取付具の実施形態について説明する。電子棚札取付具は、例えば、電子棚札を保持するとともに、商店内に設置される陳列棚の既存の表示具に対して取り付けることで、陳列棚に対して簡単に電子棚札を設置できるものである。
［第１実施形態］
図１〜図８を参照して、第１実施形態の電子棚札取付具１２およびそれが設置される陳列棚１１について説明する。陳列棚１１は、陳列棚本体１３と、陳列棚本体１３に設置された表示具１４と、表示具１４に対して取り付けられる電子棚札取付具１２と、電子棚札取付具１２に支持される電子棚札１５と、を備える。
【００１６】
陳列棚本体１３は、商店で一般に用いられる金属製の棚の一段である。一般に商店で用いられる陳列棚１１は、複数段の陳列棚本体１３を有する。陳列棚本体１３のそれぞれは、商店の通路側（前側）の端部に、起立片１３Ａや取付用の溝を有する。
【００１７】
表示具１４は、例えば、陳列棚本体１３の起立片１３Ａや取付用の溝に対して固定されるいわゆるＰＯＳレールで構成されている。表示具１４は、商業的に入手することができる。表示具１４は、起立片１３Ａに直接固定された基部１４Ａと、ヒンジ部１４Ｂを介して基部１４Ａと一体になったフラップ部１４Ｃと、を有する。フラップ部１４Ｃは、ヒンジ部１４Ｂの作用によって基部１４Ａに対して回動することができる。また、フラップ部１４Ｃは、シート１６の挿入するための挿入部１７を有し、この挿入部１７内に商品の価格や広告を記載したシート１６を差し込んで保持することができる。
【００１８】
電子棚札１５は、一般的なものであり、商業的に入手することができる。電子棚札１５は、例えば、筐体２１と、表示面２２（液晶表示面）と、筐体２１の内部に収納されＩＣチップを実装した基板と、バッテリと、外部と無線通信可能な無線回路と、を有する。電子棚札１５は、表示面２２に、商品の価格等を表示することができる。表示面２２の価格等の表示は、例えば、店舗管理者が使用する無線回路を有するハンディ端末やその他の端末から射出される電磁波等の信号によって、無線的に更新することができる。
【００１９】
電子棚札取付具１２は、略方形の平板状の取付具本体２３と、取付具本体２３から延びて取付具本体２３の第２面２３Ｂに対向するクランプ部２４と、クランプ部２４に設けられた一対の第１突起２５と、取付具本体２３に設けられた第２突起２６と、を有する。電子棚札取付具１２は、例えば、合成樹脂材料によって一体に成形されている。
【００２０】
取付具本体２３は、電子棚札１５を支持する第１面２３Ａと、第１面２３Ａとは反対側の第２面２３Ｂと、を有する。取付具本体２３は、第１面２３Ａに電子棚札１５を取り付けるための取付部２７を有する。取付部２７は、電子棚札１５に設けられた爪状の突出部１５Ａを差し込み可能に取付具本体２３の一端に設けられた差込部２８と、電子棚札１５の筐体２１に係合可能に取付具本体２３の他端に設けられたフック部３１と、を含む。
【００２１】
取付具本体２３は、第２面２３Ｂに、第２突起２６を有する。図４に示すように、第２突起２６は、表示具１４の長手方向Ｌに延び且つクランプ部２４に向けて隆起する隆起部として取付具本体２３と一体に形成される。第２突起２６は、長手方向Ｌに関する取付具本体２３の全幅に亘って設けられている。第２突起２６は、表示具１４の長手方向と交差する方向Ｈに関し、一対の第１突起２５の一方の近傍に位置し、一対の第１突起の他方とは反対側に位置ずれしている。
【００２２】
図１〜図７に示すように、クランプ部２４は、略舌状の形態をなしたクランプ部本体３２と、一対の第１突起２５と、クランプ部本体３２と取付具本体２３とを接続するように湾曲した接続部３３と、接続部３３とは反対側に設けられ指を掛けることが可能な指掛部３４と、を有する。一対の第１突起２５は、クランプ部本体３２から取付具本体２３に向けて隆起する隆起部として形成されている。一対の第１突起２５の一方は、一対の第１突起２５の他方と一体的に形成されている。一対の第１突起２５は、クランプ部２４の中央に設けられている。このため、長手方向Ｌに関する一対の第１突起２５の長さは、長手方向Ｌに関する第２突起２６の長さよりも小さい。また、一対の第１突起２５は、長手方向Ｌと交差する方向（高さ方向）に関して、第２突起２６とは位置ずれして設けられている。
【００２３】
接続部３３は、略「Ｕ」字形に湾曲するように形成されている。指掛部３４は、取付具本体２３側に設けられた面取部として形成され、接続部３３から遠ざかるにつれて、その厚み寸法が小さくなるように形成されている。店舗管理者は、指掛部３４に指を掛けることで、取付具本体２３とクランプ部２４との間の隙間を拡大し、取付具本体２３とクランプ部２４との間に表示具１４を差し込みやすくすることができる。
【００２４】
クランプ部本体３２および接続部３３の厚みは、取付具本体２３の厚みよりも小さく形成されており、可撓性を発揮しやすくなっている。クランプ部本体３２および接続部３３は、それらの外縁を規定する枠部３５を有する。枠部３５は、クランプ部本体３２および接続部３３の強度向上に寄与する。
【００２５】
なお、本実施形態では、取付具本体２３に第２突起２６が設けられ、クランプ部２４に一対の第１突起２５が設けられているが、この配置は一例であり、取付具本体２３に一対の第１突起２５が設けられ、クランプ部２４に第２突起２６が設けられていてもよい。その際、一対の第１突起２５および第２突起２６の形態はそのままでよく、一対の第１突起２５は、長手方向Ｌと交差する方向（高さ方向）に関して、第２突起２６とは位置ずれして設けられていることが好ましい。
【００２６】
図１〜図７を参照して、本実施形態の電子棚札取付具１２の作用について説明する。
【００２７】
既存の商店においては、陳列棚１１の陳列棚本体１３の通路側の起立片１３Ａや取付用の溝に対して、表示具１４（例えば、ＰＯＳレール）が既に設置されている。このような既存店に対して電子棚札１５を導入する際に、本実施形態の電子棚札取付具１２を用いることができる。
【００２８】
店舗管理者は、まず、電子棚札取付具１２の取付具本体２３の取付部２７に対して電子棚札１５を装着する。その際、電子棚札１５の突出部１５Ａを差込部２８に差し込み、電子棚札１５の筐体２１に対してフック部３１を係合させることで電子棚札取付具１２に電子棚札１５を固定する。
【００２９】
店舗管理者は、この状態の電子棚札取付具１２を陳列棚１１に既に設置されている表示具１４のフラップ部１４Ｃに固定する。店舗管理者は、電子棚札取付具１２の指掛部３４に指を掛けて、取付具本体２３とクランプ部２４との間の隙間を拡大させ、この隙間に対してフラップ部１４Ｃを挟み込むようにする。これによって、図２に示すように、表示具１４のフラップ部１４Ｃが取付具本体２３とクランプ部２４との間に挟まれて保持される。より詳細には、一対の第１突起２５と第２突起２６との間にフラップ部１４Ｃが挟まれて、図２に示すように、長手方向と交差する方向（高さ方向）Ｈに関して、フラップ部１４Ｃが取付具本体２３に向けて凸になるように変形する。また、このように変形したフラップ部１４Ｃの側面に対して一対の第１突起２５と第２突起２６が効率よく食い込む。これによって、表示具１４に対して電子棚札取付具１２が強固に固定される。
【００３０】
なお、本実施形態で電子棚札取付具１２が固定される表示具１４のフラップ部１４Ｃは、略平板状に形成されるものである。本実施形態の電子棚札取付具１２は、他の形態のフラップ部１４Ｃを有する表示具１４に対しても取り付けることが当然にできる。例えば、図８に示すように、フラップ部１４Ｃにおいてヒンジ部１４Ｂとは反対側に位置する先端部１４ＣＡが円形をなし、かつ先端部１４ＣＡの直径がフラップ部１４Ｃの他の部分の厚みよりも大きくなっているような表示具１４に対しても、本実施形態の電子棚札取付具１２を取り付け可能である。一対の第１突起２５および第２突起２６は、フラップ部１４Ｃの先端部１４ＣＡから外れた位置に配置されているからである。
【００３１】
本実施形態によれば、以下のことがいえる。電子棚札取付具１２は、電子棚札１５を支持する第１面２３Ａと、第１面２３Ａとは反対側の第２面２３Ｂと、を有する取付具本体２３と、第２面２３Ｂ側で取付具本体２３と対向するように取付具本体２３から延びるとともに、第２面２３Ｂとの間で表示具１４を挟むことが可能なクランプ部２４と、取付具本体２３およびクランプ部２４のいずれか一方に設けられ表示具１４に当接可能な一対の第１突起２５と、取付具本体２３およびクランプ部２４のいずれか他方に設けられ、一対の第１突起２５から外れた位置で表示具１４に当接可能な第２突起２６と、を備える。
【００３２】
この構成によれば、一対の第１突起２５と第２突起２６との間に表示具１４を挟み、且つ、一対の第１突起２５と第２突起２６の作用によって表示具１４を湾曲させるようにして、一対の第１突起２５と第２突起２６とで表示具１４を保持できる。これによって、陳列棚１１に既に設置されている表示具１４を利用して、電子棚札１５を簡易に設置することができる。このため、既存の表示具１４との併用を可能とし、表示具１４に対して電子棚札１５を取り付けることができる。よって、陳列棚１１に既に設置されている表示具１４を除去する必要がなく、商店で電子棚札１５を導入する際して、イニシャルコストを著しく低減できる。また、陳列棚１１に既に設置されている表示具１４を除去する必要がないため、既存の表示具１４にある広告を生かしたまま、これに追加的に電子棚札１５を設置することができる。これによって、従来の電子棚札１５に多い無機質なイメージによって、顧客に対する訴求力が従来からある表示具のＰＯＰ広告に劣ってしまうような不具合を生じることもない。
【００３３】
この場合、一対の第１突起２５の一方は、一対の第１突起２５の他方と一体的に形成され、第２突起２６は、表示具１４の長手方向と交差する方向Ｈに関し、一対の第１突起２５のいずれか一方の近傍に位置し、一対の第１突起２５のいずれか他方とは反対側に位置ずれしている。
【００３４】
この構成によれば、一体になった一対の第１突起２５によって、表示具１４の長手方向と交差する方向Ｈに関して、表示具１４を大きく反らすように略Ｌ字形に撓ませることができる。これによって、表示具１４に対して第１突起２５および第２突起２６を効率的に食い込ませることができ、表示具１４を保持する保持力を大きくすることができる。
【００３５】
この場合、第２突起２６は、長手方向Ｌに延びる隆起部として設けられ、長手方向Ｌに関する一対の第１突起２５の長さは、長手方向Ｌに関する第２突起２６の長さよりも小さい。
【００３６】
この構成によれば、一対の第１突起２５と第２突起２６との間に挟まれた表示具１４を微小に表示具１４の長手方向Ｌに関しても撓ませることができる。このため、上記構造によって表示具１４を表示具１４の長手方向と交差する方向Ｈに関して表示具１４を撓ませるのに加えて、表示具１４の長手方向Ｌに関しても表示具１４を若干撓ませることができる。これによって、表示具１４を３次元的に撓ませることができ、表示具１４に対して第１突起２５および第２突起２６を効率的に食い込ませることができ、表示具１４に対する保持力を大きくすることができる。
【００３７】
クランプ部２４は、取付具本体２３と接続した接続部３３と、接続部３３とは反対側に設けられ指を掛けることが可能な指掛部３４と、を有する。
【００３８】
この構成によれば、指掛部３４に対して指を掛けることで取付具本体２３とクランプ部２４との間の隙間を広げることができる。これによって、表示具１４に対して電子棚札取付具１２を装着する際に、店舗管理者の作業性を向上できる。
【００３９】
以下の実施形態では、主として第１実施形態と異なる部分について説明し、第１実施形態と共通する部分については、図示又は説明を省略する。
【００４０】
［第２実施形態］
図９から図１３を参照して、第２実施形態の電子棚札取付具１２について説明する。
【００４１】
取付具本体２３は、第２面２３Ｂに、第２突起２６を有する。図１０、図１２、図１３に示すように、第２突起２６は、表示具１４の長手方向Ｌに延び且つクランプ部２４に向けて隆起する隆起部として取付具本体２３と一体に形成される。第２突起２６は、長手方向Ｌに関する取付具本体２３の全幅に亘って設けられている。
【００４２】
クランプ部２４は、略舌状の形態をなしたクランプ部本体３２と、一対の第１突起２５と、クランプ部本体３２と取付具本体２３とを接続するように湾曲した接続部３３と、接続部３３とは反対側に設けられ指を掛けることが可能な指掛部３４と、を有する。一対の第１突起２５のそれぞれは、表示具１４の長手方向Ｌに延び且つクランプ部本体３２から取付具本体２３に向けて隆起する隆起部として形成されている。本実施形態において、一対の第１突起２５同士は、所定の間隔を空けて互いに独立して設けられている。一対の第１突起２５のそれぞれは、長手方向Ｌに関する取付具本体２３の全幅に亘って設けられている。
【００４３】
第２突起２６は、長手方向と交差する方向（高さ方向）Ｈに関し、一対の第１突起２５同士の間の位置に設けられる。
【００４４】
クランプ部本体３２および接続部３３の厚みは、取付具本体２３の厚みよりも小さく形成されており、可撓性を発揮しやすくなっている。クランプ部本体３２および接続部３３は、それらの外縁を規定する枠部３５を有する。
【００４５】
なお、本実施形態では、取付具本体２３に第２突起２６が設けられ、クランプ部２４に一対の第１突起２５が設けられているが、この配置は一例であり、取付具本体２３に一対の第１突起２５が設けられ、クランプ部２４に第２突起２６が設けられていてもよい。その際、一対の第１突起２５および第２突起２６の形態はそのままでよく、第２突起２６は、長手方向と交差する方向（高さ方向）Ｈに関し、一対の第１突起２５同士の間の位置に設けられることが好ましい。
【００４６】
図９〜図１３を参照して、本実施形態の電子棚札取付具１２の作用について説明する。
【００４７】
既存の商店においては、陳列棚１１の陳列棚本体１３の通路側の起立片１３Ａや取付用の溝に対して、表示具１４（例えば、ＰＯＳレール）が既に設置されている。
【００４８】
店舗管理者は、まず、第１実施形態と同様の手順で電子棚札取付具１２の取付具本体２３の取付部２７に対して電子棚札１５を装着する。
【００４９】
店舗管理者は、この状態の電子棚札取付具１２を陳列棚１１に既に設置されている表示具１４のフラップ部１４Ｃに固定する。店舗管理者は、電子棚札取付具１２の指掛部３４に指を掛けて、取付具本体２３とクランプ部２４との間の隙間を拡大させ、この隙間に対してフラップ部１４Ｃを挟み込むようにする。これによって、表示具１４のフラップ部１４Ｃが取付具本体２３とクランプ部２４との間に挟まれて保持される。より詳細には、一対の第１突起２５と第２突起２６との間にフラップ部１４Ｃが挟まれて、長手方向と交差する方向（高さ方向）Ｈに関して、フラップ部１４Ｃがクランプ部２４に向けて凸になるように変形する。また、このように変形したフラップ部１４Ｃの側面に対して一対の第１突起２５と第２突起２６が効率よく食い込む。これによって、表示具１４に対して電子棚札取付具１２が強固に固定される。
【００５０】
なお、本実施形態で電子棚札取付具１２が固定される表示具１４のフラップ部１４Ｃは、略平板状に形成されるものである。本実施形態の電子棚札取付具１２は、第１実施形態と同様に、例えば、円形断面の先端部１４ＣＡを含むフラップ部１４Ｃを有する他の形態の表示具１４に対しても取り付けることが当然にできる。
【００５１】
本実施形態によれば、以下のことがいえる。一対の第１突起２５は、表示具１４の長手方向Ｌに延びる隆起部として設けられ、第２突起２６は、長手方向Ｌに延びる隆起部として設けられるとともに、長手方向と交差する方向Ｈに関し、一対の第１突起２５同士の間の位置に設けられる。
【００５２】
この構成によれば、表示具１４の長手方向と交差する方向Ｈに関して、表示具１４を一対の第１突起２５が設けられている方向に向けて凸になるように撓ませることができる。これによって、表示具１４に対して第１突起２５および第２突起２６を効率的に食い込ませることができ、表示具１４に対する保持力を大きくすることができる。
【００５３】
［第３実施形態］
図１４から図１９を参照して、第３実施形態の電子棚札取付具について説明する。
【００５４】
取付具本体２３は、第２面２３Ｂに、第２突起２６を有する。図１４に示すように、第２突起２６の形態は、第１実施形態と同様である。
【００５５】
クランプ部２４は、略舌状の形態をなしたクランプ部本体３２と、一対の第１突起２５と、クランプ部本体３２と取付具本体２３とを接続するように湾曲した接続部３３と、接続部３３とは反対側に設けられ指を掛けることが可能な指掛部３４と、一対の第１突起２５を間に挟んだ両側に設けられクランプ部本体３２と一対の第１突起２５とを区画する一対のスリット４１と、一対のスリット４１と交差する方向に延び、クランプ部本体３２と一対の第１突起２５とを区画する第２スリット４２と、を有する。
【００５６】
一対の第１突起２５の形態は、第１実施形態と同様である。一対の第１突起２５の一方は、一対の第１突起２５の他方と一体的に形成されている。したがって、長手方向Ｌに関する一対の第１突起２５の長さは、長手方向Ｌに関する第２突起２６の長さよりも小さい。また、一対の第１突起２５は、長手方向と交差する方向（高さ方向）Ｈに関して、第２突起２６とは位置ずれして設けられている。
【００５７】
一対のスリット４１同士は、第２スリット４２によって接続されている。したがって、本実施形態では、一対の第１突起２５は、一対のスリット４１および第２スリット４２によって、略「Ｕ」字形に取り囲まれている。
【００５８】
なお、本実施形態では、取付具本体２３に第２突起２６が設けられ、クランプ部２４に一対の第１突起２５が設けられているが、この配置は一例であり、取付具本体２３に一対の第１突起２５が設けられ、クランプ部２４に第２突起２６が設けられていてもよい。その際、一対の第１突起２５および第２突起２６の形態はそのままでよく、一対の第１突起２５は、長手方向と交差する方向（高さ方向）Ｈに関して、第２突起２６とは位置ずれして設けられていることが好ましい。
【００５９】
図１４〜図１９を参照して、本実施形態の電子棚札取付具１２の作用について説明する。
【００６０】
既存の商店においては、陳列棚１１の陳列棚本体１３の通路側の起立片１３Ａや取付用の溝に対して、表示具１４（例えば、ＰＯＳレール）が既に設置されている。
【００６１】
店舗管理者は、まず、第１実施形態と同様の手順で電子棚札取付具１２の取付具本体２３の取付部２７に対して電子棚札１５を装着する。
【００６２】
店舗管理者は、この状態の電子棚札取付具１２を陳列棚１１に既に設置されている表示具１４のフラップ部１４Ｃに固定する。店舗管理者は、電子棚札取付具１２の指掛部３４に指を掛けて、取付具本体２３とクランプ部２４との間の隙間を拡大させ、この隙間に対してフラップ部１４Ｃを挟み込むようにする。本実施形態では、一対のスリット４１および第２スリット４２によって、第１実施形態に比してクランプ部２４の一対の第１突起２５周りの剛性が低くなっている。このため、取付具本体２３とクランプ部２４との間の隙間にフラップ部１４Ｃを差し込む際に、第１突起２５がフラップ部１４Ｃの先端に引っ掛かることがあっても、クランプ部２４の厚み方向に関して第１突起２５を逃がすように撓ませることができる。これによって、当該隙間に対するフラップ部１４Ｃの差込みを容易に行うことができる。
【００６３】
これによって、表示具１４のフラップ部１４Ｃが取付具本体２３とクランプ部２４との間に挟まれて保持される。より詳細には、一対の第１突起２５と第２突起２６との間にフラップ部１４Ｃが挟まれて、長手方向と交差する方向（高さ方向）Ｈに関して、フラップ部１４Ｃがクランプ部２４に向けて凸になるように変形する。また、このように変形したフラップ部１４Ｃの側面に対して一対の第１突起２５と第２突起２６が効率よく食い込む。これによって、表示具１４に対して電子棚札取付具１２が強固に固定される。
【００６４】
なお、本実施形態で電子棚札取付具１２が固定される表示具１４のフラップ部１４Ｃは、略平板状に形成されるものである。本実施形態の電子棚札取付具１２は、第１実施形態と同様に、例えば、円形断面の先端部１４ＣＡを含むフラップ部１４Ｃを有する他の形態の表示具１４に対しても取り付けることが当然にできる。
【００６５】
本実施形態によれば、以下のことがいえる。一対の第１突起２５は、クランプ部２４に設けられ、第２突起２６は、取付具本体２３に設けられ、クランプ部２４は、クランプ部本体３２と、一対の第１突起２５と、一対の第１突起２５を間に挟んだ両側に設けられクランプ部本体３２と一対の第１突起２５とを区画する一対のスリット４１と、を有し、一対の第１突起２５は、クランプ部２４の厚み方向に関しクランプ部本体３２に対して撓むことが可能である。
【００６６】
この構成によれば、表示具１４に対して電子棚札取付具１２を装着する際に、第１突起２５に対して表示具１４が引っ掛かった場合でも、第１突起２５を逃がすように撓ませることができる。これによって、店舗管理者が表示具１４に対して電子棚札取付具１２を装着する際の作業性を向上できる。
【００６７】
一対のスリット４１同士は、これらと交差する方向に延び、クランプ部本体３２と一対の第１突起２５とを区画する第２スリット４２によって接続された。
【００６８】
この構成によれば、一対の第１突起２５の周囲で剛性をさらに低下させることができる。これによって、クランプ部２４の厚み方向に関しクランプ部本体３２に対して一対の第１突起２５をさらに撓みやすくすることができる。これによって、店舗管理者が表示具１４に対して電子棚札取付具１２を装着する際の作業性をさらに向上できる。
【００６９】
［第４実施形態］
図２０から図２３を参照して、第４実施形態の電子棚札取付具１２について説明する。
【００７０】
取付具本体２３は、第２面２３Ｂに、第２突起２６を有する。図２０に示すように、第２突起２６の形態は、第１実施形態と同様である。
【００７１】
クランプ部２４は、略舌状の形態をなしたクランプ部本体３２と、一対の第１突起２５と、クランプ部本体３２と取付具本体２３とを接続するように湾曲した接続部３３と、接続部３３とは反対側に設けられ指を掛けることが可能な指掛部３４と、一対の第１突起２５を間に挟んだ両側に設けられクランプ部本体３２と一対の第１突起２５とを区画する一対のスリット４１と、を有する。
【００７２】
一対の第１突起２５の形態は、第１実施形態と同様である。一対の第１突起２５の一方は、一対の第１突起２５の他方と一体的に形成されている。したがって、長手方向Ｌに関する一対の第１突起２５の長さは、長手方向Ｌに関する第２突起２６の長さよりも小さい。また、一対の第１突起２５は、長手方向と交差する方向（高さ方向）Ｈに関して、第２突起２６とは位置ずれして設けられている。
【００７３】
本実施形態では、第３実施形態とは異なり、第２スリット４２が設けられていない。したがって、一対のスリット４１同士は、互いに独立に設けられている。
【００７４】
なお、本実施形態では、取付具本体２３に第２突起２６が設けられ、クランプ部２４に一対の第１突起２５が設けられているが、この配置は一例であり、取付具本体２３に一対の第１突起２５が設けられ、クランプ部２４に第２突起２６が設けられていてもよい。その際、一対の第１突起２５および第２突起２６の形態はそのままでよく、一対の第１突起２５は、長手方向と交差する方向（高さ方向）Ｈに関して、第２突起２６とは位置ずれして設けられていることが好ましい。
【００７５】
図２０〜図２３を参照して、本実施形態の電子棚札取付具１２の作用について説明する。
【００７６】
既存の商店においては、陳列棚１１の陳列棚本体１３の通路側の起立片１３Ａや取付用の溝に対して、表示具１４（例えば、ＰＯＳレール）が既に設置されている。
【００７７】
店舗管理者は、まず、第１実施形態と同様の手順で電子棚札取付具１２の取付具本体２３の取付部２７に対して電子棚札１５を装着する。
【００７８】
店舗管理者は、この状態の電子棚札取付具１２を陳列棚１１に既に設置されている表示具１４のフラップ部１４Ｃに固定する。店舗管理者は、電子棚札取付具１２の指掛部３４に指を掛けて、取付具本体２３とクランプ部２４との間の隙間を拡大させ、この隙間に対してフラップ部１４Ｃを挟み込むようにする。本実施形態では、一対のスリット４１によって、クランプ部２４の一対の第１突起２５周りの剛性が低くなっている。このため、取付具本体２３とクランプ部２４との間の隙間にフラップ部１４Ｃを差し込む際に、第１突起２５がフラップ部１４Ｃの先端に引っ掛かることがあっても、第１突起２５を逃がすように撓ませることができる。これによって、当該隙間に対するフラップ部１４Ｃの差込みを容易に行うことができる。
【００７９】
これによって、表示具１４のフラップ部１４Ｃが取付具本体２３とクランプ部２４との間に挟まれて保持される。より詳細には、一対の第１突起２５と第２突起２６との間にフラップ部１４Ｃが挟まれて、長手方向と交差する方向（高さ方向）Ｈに関して、フラップ部１４Ｃがクランプ部２４に向けて凸になるように変形する。また、このように変形したフラップ部１４Ｃの側面に対して一対の第１突起２５と第２突起２６が効率よく食い込む。これによって、表示具１４に対して電子棚札取付具１２が強固に固定される。
【００８０】
なお、本実施形態で電子棚札取付具１２が固定される表示具１４のフラップ部１４Ｃは、略平板状に形成されるものである。本実施形態の電子棚札取付具１２は、第１実施形態と同様に、例えば、円形断面の先端部１４ＣＡを含むフラップ部１４Ｃを有する他の形態の表示具１４に対しても取り付けることが当然にできる。
【００８１】
本実施形態によれば以下のことがいえる。一対の第１突起２５は、クランプ部２４に設けられ、第２突起２６は、取付具本体２３に設けられ、クランプ部２４は、クランプ部本体３２と、一対の第１突起２５と、一対の第１突起２５を間に挟んだ両側に設けられクランプ部本体３２と一対の第１突起２５とを区画する一対のスリット４１と、を有し、一対の第１突起２５は、クランプ部２４の厚み方向に関しクランプ部本体３２に対して撓むことが可能である。
【００８２】
この構成によれば、表示具１４に対して電子棚札取付具１２を装着する際に、第１突起２５に対して表示具１４が引っ掛かった場合でも、第１突起２５を逃がすように撓ませることができる。これによって、店舗管理者が表示具１４に対して電子棚札取付具１２を装着する際の作業性を向上できる。
【００８３】
［第５実施形態］
図２４〜図３１を参照して、第５実施形態の電子棚札取付具１２について説明する。
【００８４】
電子棚札取付具１２は、略方形の平板状の取付具本体２３と、取付具本体２３から延びて取付具本体２３の第２面２３Ｂに対向するクランプ部２４と、取付具本体２３に設けられた一対の第１突起２５と、クランプ部２４に設けられた第２突起２６と、を有する。電子棚札取付具１２は、例えば、合成樹脂材料によって一体に成形されている。
【００８５】
取付具本体２３は、電子棚札１５を支持する第１面２３Ａと、第１面２３Ａとは反対側の第２面２３Ｂと、を有する。
【００８６】
取付具本体２３は、第２面２３Ｂに、一対の第１突起２５を有する。図２４に示すように、一対の第１突起２５のそれぞれは、表示具１４の長手方向と交差する方向（高さ方向）Ｈに延び且つクランプ部２４に向けて隆起する隆起部として取付具本体２３と一体に形成される。一対の第１突起２５は、取付具本体２３の長手方向Ｌの両端部に設けられている。一対の第１突起２５は、長手方向と交差する方向（高さ方向）Ｈに関する取付具本体２３の略全幅に亘って設けられている。第１突起２５のそれぞれは、第１面取部２５Ａを有し、第１面取部２５Ａは、接続部３３から遠ざかる方向に行くにつれて突出高さが低くなっている。
【００８７】
クランプ部２４は、略舌状の形態をなしたクランプ部本体３２と、第２突起２６と、クランプ部本体３２と取付具本体２３とを接続するように湾曲した接続部３３と、接続部３３とは反対側に設けられ指を掛けることが可能な指掛部３４と、を有する。第２突起２６は、クランプ部本体３２から取付具本体２３に向けて隆起する隆起部として形成されている。第２突起２６は、クランプ部２４の中央に設けられている。第２突起２６は、長手方向と交差する方向（高さ方向）Ｈに延び且つ取付具本体２３に向けて隆起する隆起部としてクランプ部２４と一体に形成される。第２突起２６は、第２面取部２６Ａを有し、第２面取部２６Ａは、接続部から遠ざかる方向に行くにつれて突出高さが低くなっている。第２突起２６は、長手方向Ｌに関して、一対の第１突起２５とは位置ずれして設けられており、一対の第１突起２５の間の位置に設けられている。
【００８８】
接続部３３は、略「Ｕ」字形に湾曲するように形成されている。接続部３３は、方形に切り欠かれた切欠部３３Ａを有する。指掛部３４は、取付具本体２３側に設けられた面取部として形成され、接続部３３から遠ざかるにつれて、その厚み寸法が小さくなるように形成されている。店舗管理者は、指掛部３４に指を掛けることで、取付具本体２３とクランプ部２４との間の隙間を拡大し、取付具本体２３とクランプ部２４との間に表示具１４を差し込みやすくすることができる。
【００８９】
クランプ部本体３２および接続部３３の厚みは、取付具本体２３の厚みよりも小さく形成されており、可撓性を発揮しやすくなっている。また、本実施形態では、接続部３３に切欠部３３Ａが設けられているため、接続部３３の可撓性はさらに向上している。クランプ部本体３２および接続部３３は、それらの外縁を規定する枠部３５を有する。枠部３５は、クランプ部本体３２および接続部３３の強度向上に寄与する。
【００９０】
なお、本実施形態では、取付具本体２３に一対の第１突起２５が設けられ、クランプ部２４に第２突起２６が設けられているが、この配置は一例であり、取付具本体２３に第２突起２６が設けられ、クランプ部２４に一対の第１突起２５が設けられていてもよい。その際、一対の第１突起２５および第２突起２６の形態はそのままでよく、一対の第１突起２５は、長手方向Ｌに関して、第２突起２６とは位置ずれして設けられていることが好ましい。
【００９１】
図２４〜図３１を参照して、本実施形態の電子棚札取付具１２の作用について説明する。
【００９２】
既存の商店においては、陳列棚１１の陳列棚本体１３の通路側の起立片１３Ａや取付用の溝に対して、表示具１４（例えば、ＰＯＳレール）が既に設置されている。
【００９３】
店舗管理者は、まず、第１実施形態と同様の手順で電子棚札取付具１２の取付具本体２３の取付部２７に対して電子棚札１５を装着する。
【００９４】
店舗管理者は、この状態の電子棚札取付具１２を陳列棚１１に既に設置されている表示具１４のフラップ部１４Ｃに固定する。店舗管理者は、電子棚札取付具１２の指掛部３４に指を掛けて、取付具本体２３とクランプ部２４との間の隙間を拡大させ、この隙間に対してフラップ部１４Ｃを挟み込むようにする。本実施形態では、第１突起２５の第１面取部２５Ａおよび第２突起２６の第２面取部２６Ａによって、差込時に第１突起２５および第２突起２６がフラップ部１４Ｃに引っ掛かり難くなっている。このため、取付具本体２３とクランプ部２４との間の隙間にフラップ部１４Ｃを差し込む際に、フラップ部１４Ｃを円滑に差し込むことができる。
【００９５】
これによって、表示具１４のフラップ部１４Ｃが取付具本体２３とクランプ部２４との間に挟まれて保持される。より詳細には、図３０、図３１に示すように、一対の第１突起２５と第２突起２６との間にフラップ部１４Ｃが挟まれて、長手方向Ｌに関して、フラップ部１４Ｃが取付具本体２３に向けて凸になるように変形する。また、このように変形したフラップ部１４Ｃの側面に対して一対の第１突起２５と第２突起２６が効率よく食い込む。これによって、表示具１４に対して電子棚札取付具１２が強固に固定される。
【００９６】
なお、本実施形態で電子棚札取付具１２が固定される表示具１４のフラップ部１４Ｃは、略平板状に形成されるものである。本実施形態の電子棚札取付具１２は、第１実施形態と同様に、例えば、円形断面の先端部１４ＣＡを含むフラップ部１４Ｃを有する他の形態の表示具１４に対しても取り付けることが当然にできる。
【００９７】
本実施形態によれば、以下のことがいえる。一対の第１突起２５は、表示具１４の長手方向と交差する方向Ｈに延びる隆起部として設けられ、第２突起２６は、長手方向と交差する方向Ｈに延びる隆起部として設けられるとともに、長手方向Ｌに関し、一対の第１突起２５同士の間の位置に設けられる。
【００９８】
この構成によれば、表示具１４の長手方向Ｌに関して、表示具１４を略Ｌ字形に撓ませることができる。これによって、表示具１４に対して第１突起２５および第２突起２６を効率的に食い込ませることができ、表示具１４に対する保持力を大きくすることができる。
【００９９】
上記した実施形態は、種々の置き換えや変形を加えて実施できる。また、異なる実施形態を適宜に組み合わせて一つの考案を構成することも当然にできる。
【符号の説明】
【０１００】
１２                電子棚札取付具
１４                表示具
１４Ｃ              フラップ部
１５                電子棚札
２３                取付具本体
２３Ａ              第１面
２３Ｂ              第２面
２４                クランプ部
２５                第１突起
２６                第２突起
３２                クランプ部本体
３３                接続部
３４                指掛部
４１                スリット
４２                第２スリット
【図１】
0003230775.tif 000003
【図２】
0003230775.tif 000004
【図３】
0003230775.tif 000005
【図４】
0003230775.tif 000006
【図５】
0003230775.tif 000007
【図６】
0003230775.tif 000008
【図７】
0003230775.tif 000009
【図８】
0003230775.tif 000010
【図９】
0003230775.tif 000011
【図１０】
0003230775.tif 000012
【図１１】
0003230775.tif 000013
【図１２】
0003230775.tif 000014
【図１３】
0003230775.tif 000015
【図１４】
0003230775.tif 000016
【図１５】
0003230775.tif 000017
【図１６】
0003230775.tif 000018
【図１７】
0003230775.tif 000019
【図１８】
0003230775.tif 000020
【図１９】
0003230775.tif 000021
【図２０】
0003230775.tif 000022
【図２１】
0003230775.tif 000023
【図２２】
0003230775.tif 000024
【図２３】
0003230775.tif 000025
【図２４】
0003230775.tif 000026
【図２５】
0003230775.tif 000027
【図２６】
0003230775.tif 000028
【図２７】
0003230775.tif 000029
【図２８】
0003230775.tif 000030
【図２９】
0003230775.tif 000031
【図３０】
0003230775.tif 000032
【図３１】
0003230775.tif 000033